(57)【特許請求の範囲】
【請求項１】
電気的に接続される複数の電池（３）と、
複数の壁面によって囲まれる密閉空間を形成して、前記密閉空間に前記複数の電池を収容するケース（２）と、
前記密閉空間に収容され、前記複数の電池を冷却する流体を前記ケースの内部に循環させる流体駆動手段（４）と、
前記密閉空間を形成する前記ケースの壁面（２１，２２）から前記電池に向けて突出するとともに上方に延びる形状を有する突出部（７０，７１，７２，８０，８１，８２）と、
を備え、
前記突出部の上端部（７０２，７１２，７２２，８０２，８１２，８２２）は、前記電池の外装ケースの上端に対して同じ高さまたは上方に位置し、前記突出部は、前記流体駆動手段から流出して前記電池に接触する前の前記流体を、前記電池と前記電池の間に形成される電池間通路（３１０）の出口に対して高さ方向に遠ざかるように誘導することを特徴とする電池冷却装置。
【請求項２】
前記突出部は、前記流体駆動手段から流出して前記電池に接触する前の前記流体を、前記電池の下端に対して高さ方向に遠ざかるように誘導することを特徴とする請求項１に記載の電池冷却装置。
【請求項３】
前記流体駆動手段における前記流体の流出部（４２１）は、前記突出部よりも下方に位置し、
前記突出部は、下端部（７０１，７１１，７２１，８０１，８１１，８２１）から、前記下端部よりも前記流出部からの距離が長い位置に設けられた前記上端部まで連続して延びる凸条部（７０，７１，７２，８０，８１，８２）であることを特徴とする請求項１または請求項２に記載の電池冷却装置。
【請求項４】
前記流体駆動手段における前記流体の流出部（４２１）は、前記突出部よりも下方に位置し、
前記突出部は、下端部（７０１，７１１，７２１，８０１，８１１，８２１）から、前記下端部よりも前記流出部からの距離が長い位置に設けられた前記上端部まで、複数に分割される複数の庇状の突出部として設けられることを特徴とする請求項１または請求項２に記載の電池冷却装置。
【請求項５】
電気的に接続される複数の電池（３）と、
複数の壁面によって囲まれる密閉空間を形成して、前記密閉空間に前記複数の電池を収容するケース（２）と、
前記密閉空間に収容され、前記複数の電池を冷却する流体を前記ケースの内部に循環させる流体駆動手段（４）と、
前記密閉空間を形成する前記ケースの壁面（２１，２２）から前記電池に向けて突出するとともに上方に延びる形状を有する突出部（７０，７１，７２，８０，８１，８２）と、
を備え、
前記突出部は、前記流体駆動手段から流出して前記電池に接触する前の前記流体を、前記電池と前記電池の間に形成される電池間通路（３１０）の出口に対して高さ方向に遠ざかるように誘導し、
前記突出部は、下端部（７０１，７１１，７２１，８０１，８１１，８２１）から、前記下端部よりも前記流体駆動手段における前記流体の流出部（４２１）からの距離が長い位置に設けられた上端部まで連続して延びる凸条部（７０，７１，７２，８０，８１，８２）であり、
前記凸条部は、前記ケースの同一の壁面に複数設けられ、
複数の前記凸条部は、鉛直方向に対して互いに異なる傾きをもって水平方向に並ぶように設けられることを特徴とする電池冷却装置。
【請求項６】
複数の前記凸条部のうち、前記水平方向について、前記流出部からの距離が最も長い位置にある前記凸条部（７２，８２）は、前記下端部から前記上端部まで延びる長さが最も長いことを特徴とする請求項５に記載の電池冷却装置。
【請求項７】
前記突出部は、前記複数の電池を間において対向して設けられる前記ケースの壁面（２１，２２）のそれぞれから突出することを特徴とする請求項１から請求項６のいずれか一項に記載の電池冷却装置。
【発明の詳細な説明】
【技術分野】
【０００１】
本発明は、ケース内部に収容した電池を冷却する電池冷却装置に関する。
【背景技術】
【０００２】
従来の電池冷却装置として、例えば、特許文献１、２が知られている。特許文献１の装置は、複数の単電池を収容するパックケースの両端面に、吸気ダクトと排気ダクトを設け、ケースの内部に空気を取り入れ、単電池と熱交換した後の空気を外部に排出するものである。つまり、一旦、外部に排出された熱交換後の空気は、再度ケースの内部に戻ることはなく、ケースの内部には、電池冷却のために新たな空気が常に取り込まれることになる。
【０００３】
特許文献２の装置では、ケースの内部に、複数の単電池と対流発生のためのファン装置とを備える。特許文献２の装置は、この構成により、ファン装置から送風された空気は、各単電池に接触しながらケースで密閉された内部空間を流れる対流を形成する。このように特許文献２では、ケースの内部で対流を形成して循環する空気の流れが開示されている。
【先行技術文献】
【特許文献】
【０００４】
【特許文献１】特開２００２−４２７５３号公報
【特許文献２】特開２００９−２１１８２９号公報
【発明の概要】
【発明が解決しようとする課題】
【０００５】
特許文献１の装置においては、ケース内部に取り込まれた空気は、電池セルに向かって形成された通路を電池セル目指して流れる。すなわち、特許文献１では、電池セルに接触する前に、外部への放熱面として機能するケース壁に接触する空気量が少なく、外部への放熱が不十分である。
【０００６】
また、特許文献２には、ファン装置から送風された空気が、対向するケースの内壁面に衝突して両側の内壁面へ向かう空気の流れが開示されている。しかしながら、当該対向するケースの内壁面とファン装置との間には複数の単電池が介在しているため、当該空気は、各単電池に接触してこれらを冷却した後に、ケースの内壁面に衝突する。したがって、特許文献２では、ファン装置から吹き出されて単電池と熱交換する前の空気をケース壁に十分に接触させることができないため、ケース壁を介した輻射放熱量は小さく、放熱効率も好ましくない。
【０００７】
このように各特許文献に記載の装置は、電池の発熱をケース外部へ効果的に排出する点に関して、十分な効果が得られず、改善の余地がある。
【０００８】
本発明は、上記問題点に鑑みてなされたものであり、ケース外部への効率的な排熱が図れる電池冷却装置を提供することを目的とする。
【課題を解決するための手段】
【０００９】
本発明は上記目的を達成するために、下記の技術的手段を採用する。すなわち、開示する電池冷却装置に係る発明のひとつは、電気的に接続される複数の電池（３）と、複数の壁面によって囲まれる密閉空間を形成して、密閉空間に複数の電池を収容するケース（２）と、密閉空間に収容され、複数の電池を冷却する流体をケースの内部に循環させる流体駆動手段（４）と、密閉空間を形成するケースの壁面（２１，２２）から電池に向けて突出するとともに上方に延びる形状を有する突出部（７０，７１，７２，８０，８１，８２）と、を備え、
突出部の上端部（７０２，７１２，７２２，８０２，８１２，８２２）は、電池の外装ケースの上端に対して同じ高さまたは上方に位置し、突出部は、流体駆動手段から流出して電池に接触する前の流体を、電池と電池の間に形成される電池間通路（３１０）の出口に対して高さ方向に遠ざかるように誘導することを特徴とする。
【００１０】
この発明によれば、流体流れ誘導手段によって、ケースの壁面に接触しながら電池から離れるように誘導される流体流れを形成することができる。これにより、流体駆動手段から流出して電池に接触する前のあまり流速が低下していない状態の流体を、ケース壁の広範囲にゆき渡せることができる。このため、流体駆動手段から送られる流体が電池に到達する前にケースの壁面を介した輻射放熱を促進できる。したがって、この発明によれば、従来技術に比べて、ケース外部への効率的な排熱が図れる電池冷却装置を提供するができる。
【００１１】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１２】
【図１】本発明に係る第１実施形態の電池冷却装置について、装置の構成と電池冷却のための流体の流れとを説明するための概要図である。
【図２】図１のII−II断面における矢視図である。
【図３】図１のIII矢印方向にケースの内部をみた場合の概要図である。
【図４】第２実施形態の電池冷却装置について、流体流れ誘導手段の構成と流体の流れとを説明するための部分概要図である。
【発明を実施するための形態】
【００１３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示していなくても実施形態同士を部分的に組合せることも可能である。
【００１４】
（第１実施形態）
本発明に係る第１実施形態の電池冷却装置１について図１〜図３を参照しながら説明する。図１〜図３は、電池冷却装置１における電池冷却のための流体流れを示すとともに、ケース２の内部の構成を示す概要図である。電池冷却装置１は、例えば内燃機関と電池に充電された電力によって駆動されるモータとを組み合わせて走行駆動源とするハイブリッド自動車、モータを走行駆動源とする電気自動車等に用いられる。電池冷却装置１に含まれる複数の電池は、例えばニッケル水素二次電池、リチウムイオン二次電池、有機ラジカル電池である。
【００１５】
電池冷却装置１は、複数の電池セル３と、密閉空間を形成するケース２と、ケース２内で流体を循環させる流体駆動と、流体流れ誘導手段７，８手段と、を備える。ケース２の内部には、複数の電池セル３と流体駆動手段の一例である送風機４とが収容されている。
【００１６】
複数の電池セル３は、複数個の電池積層体３１，３２を構成する。各電池積層体３１，３２は、間隔をあけて積層設置された所定個数の電池セル３を含み、隣接する電池セル３の上部に位置する電極端子３０同士がバスバー３００によって電気的に直列接続されることによりセル集合体を構成する。バスバー３００は、導電性の金属板からなる放熱用部材である。電池積層体３１と電池積層体３２は、セルの積層方向が同じ方向であり、積層方向とは直交する方向、あるいは水平方向に所定の間隔をあけて横に並ぶようにケース２の内部に設けられている。このようにしてケース２は、少なくとも一つの電池積層体を収容する。
【００１７】
各電池セル３は、例えば、電気絶縁性を有する樹脂または金属の外装ケースによって密閉された内部空間を形成し、扁平状の直方体をなす外形を呈する単電池である。電池セル３の外装ケースは、例えば、絶縁性を有する様々な樹脂または金属で形成される。樹脂の場合は、例えば、ポリプロピレン、ポリエチレン、ポリスチレン、塩化ビニル、フッ素系樹脂、ＰＢＴ、ポリアミド、ポリアミドイミド、ＡＢＳ樹脂、ポリアセタール、ポリカーボネート、ポリブチレンテレフタレート、ポリエチレンテレフタレート、ポリフェニレンスルファイド、フェノール、エポキシ、アクリル等の樹脂を用いることができる。
【００１８】
各電池セル３には、正極端子及び負極端子からなる二つの電極端子３０が外装ケースの一面から突出している。電極端子３０の突出方向は、電池セル３の厚み方向や積層方向に対して直交する方向であり、例えば上方向である。電極端子３０は、扁平状の直方体の主たる側面に直交する端面から突出する。この主たる側面は、隣り合う電池セルと対向する面であり、隣り合う電池セル３における主たる側面間には、冷却用の流体が流れる電池間通路が設けられている。電池積層体３１には、隣り合う電池セル３間に電池間通路３１０が設けられている。電池積層体３２には、隣り合う電池セル３間に電池間通路３２０が設けられている。
【００１９】
複数の電池セル３は、充電及び放電または温度調節に用いられる電子部品（図示せず）によって制御される。当該電子部品は、例えば、ＤＣ／ＤＣコンバータ、流体駆動手段を駆動するモータ、インバータによって制御される電子部品、各種の電子式制御装置等であり、ケース２の内部に収容するようにしてもよい。また、当該電子部品は、ケース２の内部に設置されることにより、流体の循環によって電池セル３とともに冷却することができる。また、ケース２の内部に、電池セル３の少なくとも電圧と温度とを監視するセル監視ユニット、ジャンクションボックス、サービスプラグ等を内蔵するようにしてもよい。
【００２０】
ケース２の内部には、送風機４によって強制的に流れる流体の循環経路をなす循環流路が形成されている。循環流路は、ケース２によって囲まれた内部空間に形成される流体が循環する流路である。循環流路は、送風機４から送風された流体が電池セル３と熱交換した後、送風機４に吸い込まれる一連の流体の流通経路をなす。循環流路は、送風機４を起点として、第１の分岐流路６１０及び第１の側壁側流路６１１と、第２の分岐流路６２０及び第２の側壁側流路６２１と、各電池間通路３１０，３２０と、を連絡する一連の通路で構成される。
【００２１】
送風機４から送られる流体は、第１の分岐流路６１０と第２の分岐流路６２０に分かれ、分流した流体は、それぞれ第１の側壁側流路６１１、第２の側壁側流路６２１を流れ、電池間通路３１０，３２０で合流して、送風機４の吸込み部４２０に吸い込まれる。このように、電池冷却用の流体は、送風機４を起点として複数に分岐した経路を通って電池間通路３１０，３２０を流れた後、再び送風機４に集まるようにケース２の内部空間を流通する。
【００２２】
送風機４は、ケース２に収容された複数個の電池セルを冷却する流体を、ケース２に構成された循環流路に循環させる流体駆動手段の一例である。電池冷却のための流体としては、例えば、空気、各種のガス、水、冷媒を用いることができる。ここでは、送風機４は、循環流路に空気を強制的に循環させる流体駆動手段とする。
【００２３】
送風機４は、モータ４１と、モータ４１により回転されるシロッコファン４０と、シロッコファン４０を内蔵するケーシング４２とを備える。また、ケーシング４２は、循環流路の一部である吸込み部４２０、吹出し部４２１を備える。送風機４は、制御装置によって制御される。各電池セル３は、電流が取り出される出力時及び充電される入力時に自己発熱する。電池監視ユニットは電池セル３の温度を常時モニターし、送風機４の運転はモニターされる電池セル３の温度に応じて制御される。
【００２４】
吸込み部４２０は、ケーシング４２の吸込み口を構成し、シロッコファン４０の回転軸方向に延びる通路でもあり、シロッコファン４０によって吸い込まれる空気が通る。シロッコファン４０は、ケース２の内部空間の下部であってケース２の側壁２０に近接するように設置されている。モータ４１は、側壁２０とシロッコファン４０との間に設置されている。シロッコファン４０の回転軸は、ケース２の底壁２３や天壁２５に平行となる姿勢で設置される。
【００２５】
吸込み部４２０が構成する通路は、電池積層体３１の電池セル３側に位置する通路であり、各電池間通路３１０に通じる。さらに各電池間通路３１０は、電池積層体３２の各電池間通路３２０に通じる。空気が各電池間通路３１０，３２０を流れる方向は、空気が吸込み部４２０に吸い込まれる方向と同じである。したがって、各電池間通路３１０，３２０を流れる空気は、通気抵抗が小さく、送風機４の吸引力によってスムーズに送風機４に吸い込まれる。
【００２６】
さらにケーシング４２は、吹出し部４２１を形成する。吹出し部４２１は、シロッコファン４０の回転軸に直交するファンの遠心方向に延びる通路を構成する。吹出し部４２１は、吸込み部４２０に直交する方向に延びる通路である。したがって、吹出し部４２１は、ケース２の内部空間において下方に延びる通路の一部である。吹出し部４２１は、ケース２の高さ方向の中央部よりも底壁２３に近い部位で開口し、底壁２３から突出する凸条部５の上方に位置するように設けられる。送風機４は、吹出し部４２１から、凸条部５に向けて空気を吹き出す。凸条部５は、底壁２３からケース２の内方へ突出する突出部である。
【００２７】
また、電池冷却装置１は、ケース２の内部に複数流路形成手段を備える。複数流路形成手段は、送風機４から送られる空気を、少なくとも２つの壁面に接触させたのち電池セル３に接触させるように、複数の流路に分ける機能を果たす。凸条部５は、複数流路形成手段の一例であり、所定の突出高さと長さをする山形の突出部である。凸条部５は、互いに異なる方向に延びる少なくとも２つの傾斜面５１と傾斜面５２を有する切妻屋根状を呈する。
【００２８】
傾斜面５１と傾斜面５２は、鉛直方向または底壁２３に対する傾斜角度が同等である。送風機４は、空気を凸条部５に向けて下方に送る。送風機４から凸条部５に向かって流れた空気は、凸条部５の頂部から下方に向かうにしたがい、傾斜面５１及び傾斜面５２のそれぞれに沿うように流れ、それぞれ底壁２３の表面にならって流れる。
【００２９】
傾斜面５１に沿って流下した空気は、凸条部５から側壁２１の下部に向かって底壁２３に沿うように延びる第１の分岐流路６１０を流れる。さらに空気は、第１の分岐流路６１０から、天壁２５に向かって側壁２１に沿うように上方に延びる第１の側壁側流路６１１を流れる。また、傾斜面５２に沿って流下した空気は、凸条部５から側壁２２の下部に向かって底壁２３に沿うように延びる第２の分岐流路６２０を流れる。さらに空気は、第２の分岐流路６２０から、天壁２５に向かって側壁２２に沿うように上方に延びる第２の側壁側流路６２１を流れる。
【００３０】
したがって、凸条部５に向かった空気は、底壁２３の表面を沿って反対向きの二方向に流れ、底壁２３、側壁２１、側壁２２に接触しながら電池間通路３１０，３２０に向かうようになる。このように、電池冷却装置１は、複数流路形成手段によって分けられる複数の流路として、互いに逆向きの空気が流れる第１の分岐流路６１０と第２の分岐流路６２０を含む。
【００３１】
流体流れ誘導手段７，８は、密閉空間を形成するケースの壁面に設けられ、流体駆動手段から流出された流体を電池セル３から遠ざかる方向に誘導する機能を有する。流体流れ誘導手段７は、側壁２２から突出し、側壁２２と対面する位置関係にある複数の電池セル３から遠ざかる方向に延びる形状の３個の凸条部７０，７１，７２によって構成される。
【００３２】
流体流れ誘導手段８は、側壁２１から突出し、側壁２１と対面する位置関係にある複数の電池セル３から遠ざかる方向に延びる形状の３個の凸条部８０，８１，８２によって構成される。電池冷却装置１は、複数の電池セル３を間において対向して設けられるケース２の壁面（側壁２１、側壁２２）のそれぞれから突出する複数の凸条部を備える。各凸条部は、側壁２１，２２に固着される別体の部品であってもよいし、一体成形等により、はじめから側壁２１，２２と一体に形成される同一の部品の一部であってもよい。
【００３３】
凸条部７０，７１，７２，８０，８１，８２は、それぞれ、複数に分割される形状であってもよい。例えば、各凸条部は、側壁２０側から側壁２４側に向けて斜め上方に連続して延びる一つの庇状の突出部であってもよいし、間隔をあけて設けられる複数の庇状の突出部であってもよい。このような複数の庇状の突出部は、並んで配置されることによって全体として流体を電池セル３から遠ざかる方向に誘導することができる。
【００３４】
各凸条部は、流体駆動手段の流体の流出部をなす送風機４の吹出し部４２１よりも上方に位置する。すなわち、各凸条部は、吹出し部４２１よりも高い位置に設けられている。凸条部７０は、下端部７０１から、下端部７０１よりも吹出し部４２１からの距離が長い位置に設けられた上端部７０２まで連続して延びる帯状の突出部である。凸条部７１は、下端部７１１から、下端部７１１よりも吹出し部４２１からの距離が長い位置に設けられた上端部７１２まで連続して延びる帯状の突出部である。凸条部７２は、下端部７２１から、下端部７２１よりも吹出し部４２１からの距離が長い位置に設けられた上端部７２２まで連続して延びる帯状の突出部である。
【００３５】
各凸条部７０，７１，７２は、各上端部７０２，７１２，７２２が電池セル３の外装ケースの上端に対して、上方に位置するように設けられている。また、各凸条部７０，７１，７２は、各上端部７０２，７１２，７２２が電池セル３の外装ケースの上端と同じ高さに位置するように設けられる形態であってもよい。したがって、第２の側壁側流路６２１を流れる流体は、各凸条部７０，７１，７２に案内されて、電池セル３の外装ケースの上端より高い位置にまで流れるようになる。
【００３６】
凸条部７０，７１，７２は、ケース２の同一の壁面をなす側壁２２に設けられている。図２に示すように複数個の凸条部７０，７１，７２は、水平方向に並ぶように設けられている。凸条部７０，７１，７２のそれぞれは、側壁２２において、斜め上方に延びる軒状部分である。凸条部７０，７１，７２のそれぞれは、鉛直方向に対して互いに異なる傾きをもって水平方向に並ぶように設けられている。また、凸条部７０，７１，７２は、互いに沿うように同一方向またはほぼ同一方向に延設されている形態であってもよい。
【００３７】
凸条部７０は、凸条部の中で、水平方向について吹出し部４２１から最も近い位置に設けられている。凸条部７２は、凸条部の中で、水平方向について吹出し部４２１から最も遠い位置に設けられている。凸条部７１は、凸条部７０と凸条部７２の間に設けられている。凸条部７２は、複数個の凸条部の中で、下端部から上端部まで延びる長さが最も長い。
【００３８】
流体流れ誘導手段８を構成する凸条部８０，８１，８２のそれぞれは、凸条部７０、凸条部７１、凸条部７２に対応する関係にある。したがって、凸条部８０は、上記した凸条部７０と同様の特徴を有し、同様の作用効果を奏する。下端部８０１は下端部７０１に対し、上端部８０２は上端部７０２に対応する。また、凸条部８１は、上記した凸条部７１と同様の特徴を有し、同様の作用効果を奏する。下端部８１１は下端部７１１に対し、上端部８１２は上端部７１２に対応する。凸条部８２は、上記した凸条部７２と同様の特徴を有し、同様の作用効果を奏する。下端部８２１は下端部７２１に対し、上端部８２２は上端部７２２に対応する。
【００３９】
ケース２は、例えば、メンテナンスのために少なくとも一面を取り外し可能に構成された直方体状の筐体であり、樹脂成型品または金属製の鋼板でできている。金属は、例えばアルミニウム合金、亜鉛合金等である。樹脂には、ケース２としての硬度、強度が確保でき、かつ放熱性が確保できる材料を用いることができる。例えば、ポリカーボネート、ナイロン、超高分子量ポリエチレン、架橋ポリオレフィン等の耐衝撃性プラスチック、ガラス繊維等を含む繊維強化プラスチック、炭素繊維樹脂等を採用できる。
【００４０】
ケース２は、例えば少なくとも６面を有する箱体で構成できる。直方体状のケースである場合には、ケース２は、対向する関係にある底壁２３及び天壁２５と、これらと直交する関係にある側壁２０、側壁２１、側壁２２及び側壁２４とで形成される。側壁２０と側壁２４は対向する関係にあり、側壁２１と側壁２２は対向する関係にある。ケース２は、これら複数の壁によって囲まれる密閉空間を形成する。また、ケース２の複数の壁面のうち、所定の壁面には、放熱面積を大きくするために凸部または凹部が形成されている。
【００４１】
ケース２は、凸条部５が設けられている位置の裏側であって、外部に露出する底壁２３の外表面に第１の放熱促進部２３０を備える。第１の放熱促進部２３０は、外部への放熱を他の部位よりも促進する放熱促進手段であり、外部に露出する表面積を拡大するものである。第１の放熱促進部２３０は、第１の分岐流路６１０と第２の分岐流路６２０を流れる空気の熱を、底壁２３を介して外部に効果的に放出する放熱手段である。第１の放熱促進部２３０は、その一例として、底壁２３の外表面から突出する複数個の板状のフィンで構成することができる。
【００４２】
第１の分岐流路６１０と第２の分岐流路６２０を流れる空気の熱は、底壁２３に熱伝達し、さらに底壁２３から第１の放熱促進部２３０を熱伝導することで吸熱され、第１の放熱促進部２３０に接触する外部の空気に放熱される。送風機４から送風されたばかりの空気は、この熱経路によって、密閉空間（あるいは循環通路）を循環する途中で放熱促進される。
【００４３】
さらにケース２は、第１の放熱促進部２３０が設けられている外壁面と隣接する側壁２１，２２の外表面のそれぞれに、外部に露出する表面積を拡大する第２の放熱促進部２１０，２２０を備える。第２の放熱促進部２１０，２２０は、第１の放熱促進部２３０と同様の機能を有する。第２の放熱促進部２１０は、第１の分岐流路６１０を経由し、さらに第１の側壁側流路６１１を流れる空気の熱を、側壁２１を介して外部に効果的に放出する放熱手段である。第２の放熱促進部２２０は、第２の分岐流路６２０を経由し、さらに第２の側壁側流路６２１を流れる空気の熱を、側壁２２を介して外部に効果的に放出する放熱手段である。第２の放熱促進部２１０，２２０は、その一例として、側壁２１，２２の外表面から突出する複数個の板状のフィンで構成することができる。
【００４４】
第１の側壁側流路６１１及び第２の側壁側流路６２１を流れる空気の熱は、それぞれ側壁２１、側壁２２に熱伝達し、さらに第２の放熱促進部２１０，２２０を熱伝導することで吸熱され、各放熱促進部２１０，２２０に接触する外部の空気に放熱される。送風機４から送風された空気は、第１の放熱促進部２３０に加え、第２の放熱促進部２１０，２２０による放熱経路によって、密閉空間（あるいは循環通路）を循環する途中で放熱促進される。
【００４５】
放熱促進部を構成する当該フィンは、底壁２３、側壁２１、側壁２２の外表面の表面積を拡大させるための部材である。また、各フィンは、熱伝導性の高い材質で構成され、例えば、アルミニウム、銅、またはそれぞれの合金で形成される。
【００４６】
また、ケース２には、車両側にボルト締め等により固定するための取付部、及び機器収納ボックスを設けるようにしてもよい。当該機器ボックスには、各種センサからの電圧、温度等の検出結果が入力される電池監視ユニットと、当該ユニットと通信可能でＤＣ／ＤＣコンバータの電力授受や流体駆動手段の運転を制御する制御装置と、各機器を接続するワイヤハーネス等と、が収納される。電池監視ユニットは、各電池セル３の状態（温度、電圧等）を監視する電池の電子式制御ユニットであり、電池セル３と多数の配線によって接続されている。
【００４７】
ケース２の密閉空間に構成される循環通路は、第１の分岐流路６１０、第１の側壁側流路６１１、第２の分岐流路６２０、第２の側壁側流路６２１、及び各電池間通路３１０，３２０においてケース２の内壁面に対して露出する通路を構成する。すなわち、循環通路は、ほぼすべての部分においてケース２の内壁面に連通している。
【００４８】
送風機４が運転されると、送風機４の吹出し部４２１から凸条部５に向けて送風される。凸条部５に達した空気は、凸条部５の機能によって、第１の分岐流路６１０と第２の分岐流路６２０に分かれる。第１の分岐流路６１０を流れる空気は、底壁２３に接触しながら側壁２１に到達し、さらに側壁２１に接触しながら、複数の凸条部８０，８１，８２によって誘導されて電池セル３から遠ざかる方向に第１の側壁側流路６１１を流れる。一方、第２の分岐流路６２０を流れる空気は、底壁２３に接触しながら側壁２２に到達し、さらに側壁２２に接触しながら複数の凸条部７０，７１，７２によって誘導されて電池セル３から遠ざかる方向に第２の側壁側流路６２１を流れる。
【００４９】
第１の側壁側流路６１１を流れる空気は、流体流れ誘導手段８によって側壁２０寄りの下部から側壁２４寄りの上部に向けて側壁２１に接触しながら斜めに上昇し、電池セル３の上端面よりも上方から送風機４の吸引力に導かれて内部空間の中央に向けて流れる。そして、空気は、各電池間通路３１０、３２０に流入して各電池セル３に接触しながら流下する。第２の側壁側流路６２１を流れる空気は、流体流れ誘導手段７によって側壁２０寄りの下部から側壁２４寄りの上部に向けて側壁２２に接触しながら斜めに上昇し、電池セル３の上端面よりも上方から送風機４の吸引力に導かれて内部空間の中央に向けて流れる。そして、空気は、各電池間通路３１０、３２０に流入して各電池セル３に接触しながら流下する。
【００５０】
この循環する空気は、各電池間通路３１０，３２０を流れるときに、バスバー３００及び電極端子３０や各電池セル３の外表面から吸熱して各電池セルを冷却する。各電池セル３を冷却した空気は、それぞれ、送風機４の吸引力によって吸込み部４２０に集められ、再び吹出し部４２１から吹き出される。吹出し部４２１から吹き出された循環空気は、凸条部５に至り、再び第１の分岐流路６１０と第２の分岐流路６２０に分かれる。第１の分岐流路６１０を流れる空気は、流体流れ誘導手段８に誘導されて第１の側壁側流路６１１を流通し、第２の分岐流路６２０を流れる空気は、流体流れ誘導手段７に誘導されて第２の側壁側流路６２１を流通する。
【００５１】
このように密閉空間を循環する空気は、各電池セル３との熱交換時に吸熱した熱を、第１の分岐流路６１０と第２の分岐流路６２０を流れる際に、側壁２０、底壁２３、第１の放熱促進部２３０を介してケース２の外部に放熱する。側壁２０、底壁２３、第１の放熱促進部２３０を通して放出された熱は、自然対流によってケース２の外部に放熱される。
【００５２】
さらに、空気は、第１の分岐流路６１０を経由して第１の側壁側流路６１１を流れる際に、流体流れ誘導手段８に案内されて電池セル３から遠ざかるように上方へ流れるので、電池セル３側にショートカットしないで側壁２１の広範囲に沿って流れる。これによって、側壁２１における側壁２４寄りの壁面に接触する範囲が拡がり、側壁２１、第２の放熱促進部２１０を介してケース２の外部に放熱する。また空気は、第２の分岐流路６２０を経由して第２の側壁側流路６２１を流れる際に、流体流れ誘導手段７に案内されて電池セル３から遠ざかるように上方へ流れるので、電池セル３側にショートカットしないで側壁２２の広範囲に沿って流れる。これによって、側壁２２における側壁２４寄りの壁面に接触する範囲が拡がり、側壁２２、第２の放熱促進部２２０を介してケース２の外部に放熱する。
【００５３】
したがって、底壁２３、側壁２１及び側壁２２の全体が、密閉空間を循環する空気に移動した電池セル３の熱を外部に放出する際の放熱面として機能することになる。また、底壁２３は、ケース２を形成する複数の壁面のうち、最も大きい表面積を有する壁面であることが好ましい。底壁２３がケース２の壁面において表面積の最も大きい壁面であることにより、送風機４から送風された空気が最初に接触する壁部から外部への放熱効果を大きくすることができ、電池の効果的な冷却を実施できる。特に、送風機４から吹き出されたばかりの空気は、通気抵抗の影響を受けにくいため風量があまり低下していない。したがって、電池冷却装置１によれば、ケース２の壁面を介した輻射放熱に関して、広範囲における輻射放熱が行われて大きな放熱効果が得られるのである。
【００５４】
次に、第１実施形態の電池冷却装置１がもたらす作用効果について説明する。電池冷却装置１は、複数の壁面によって囲まれる密閉空間を形成して、密閉空間に複数の電池セル３を収容するケース２と、密閉空間に収容され、複数の電池セル３を冷却する流体をケース２の内部に循環させる流体駆動手段と、流体流れ誘導手段７，８とを備える。流体流れ誘導手段７，８は、密閉空間を形成するケース２の壁面に設けられ、流体駆動手段から流出された流体を電池セル３から遠ざかる方向に誘導する。
【００５５】
この構成によれば、流体流れ誘導手段７，８によって、ケース２の壁面に接触しながら電池セル３から離れるように誘導される流体流れを形成することができる。これにより、流体駆動手段から流出して電池セル３に接触する前のあまり流速が低下していない状態の流体を、ケース２において広範囲の壁にゆき渡せることができる。このため、流体駆動手段から送られる流体が電池セル３に到達する前にケース２の壁面を介した輻射放熱を促進できる。
【００５６】
また、ケース２の内部空間は密閉空間である。流体駆動手段は、複数の電池セル３とともに密閉空間に収容され、密閉空間において循環する流体の流れを発生させる。この構成によれば、ケース２内の密閉空間において流体を循環し、かき混ぜ続けるため、循環の過程でケース２のあらゆる壁面に流体を接触させることが可能である。このように、ケース２の外部との間で流体の出入りがなく、ケース２の壁に接触する冷却用流体を多くすることができるため、外部への放熱面として機能するケース２の表面積を大きくすることができる。したがって、複数の電池セル３からの発熱を、ケース２の壁面全体を用いて積極的に外部へ輻射放熱させることができる。また、外部への騒音の低減、ケース２内への埃、湿気等の侵入を防止することができる。
【００５７】
また、ケース２の密閉空間に形成された循環通路は、ケース２を形成する複数の壁面に囲まれている。このように、循環通路を取り囲むケース２の複数の壁面を放熱媒質として活用することができるので、外部への放熱面積を大きくでき、ケース２の外部へ放熱を促進することができる。これにより、電池セル３の発熱を効果的にケース２の外部に排熱する熱経路を構築するこができる。すなわち、ケース２の壁面全体を放熱面積として活用する効果的な電池冷却を実現できる。
【００５８】
また、流体流れ誘導手段７，８は、ケース２の壁面から突出するとともに電池セル３から遠ざかる方向に延びる形状の突出部によって構成される。この構成によれば、特別な構成を必要とせずとも流体流れ誘導手段７，８を実現できる。また、ケース２の壁面に突起物を設けることにより、流体流れ誘導手段７，８を実現できるため、別部品を管理する必要もなく、製造上有用である。また、上記形状の突出部は、流体が持つ熱を集熱する集熱板としても機能させることも可能であり、壁面を介した放熱に貢献することができる。
【００５９】
また、流体駆動手段における流体の流出部は、流体流れ誘導手段７，８をなす突出部よりも下方に位置する。当該突出部は、その下端部７０１，７１１，７２１から、当該下端部よりも流出部からの距離が長い位置に設けられた上端部７０２，７１２，７２２まで連続して延びる凸条部７０，７１，７２である。この構成によれば、流体駆動手段から流出した流体が電池セル３に接触する前に、密閉空間において流体駆動手段の流出部から上方に向かう流れを形成することができる。そして、側壁２１，２２に接触しながら各下端部から各上端部へ延びる方向の流体流れを形成することができる。
【００６０】
また、凸条部７０，７１，７２の上端部７０２，７１２，７２２は、電池セル３の外装ケースの上端に対して同じ高さまたは上方に位置する。この構成によれば、第２の側壁側流路６２１を流れる流体は、各凸条部７０，７１，７２に案内されるため、電池セル３の外装ケースの上端より高い位置にまで流れるようになる。そして、外装ケースの上端よりも高く流れた流体は、送風機４の吸引力によって、密閉空間の上部から流れ落ちるように電池間通路３１０、電池間通路３２０へ流入する。このように、密閉空間において、上下方向に広範囲にわたる流体流れを形成することができる。さらに、上下方向に広範囲にわたって側壁２１や側壁２２に接触する流体流れを形成することができるため、側壁を介した放熱面積を大きくでき、放熱媒質として十分に活用することができる。
【００６１】
また、凸条部は、ケース２の同一の壁面に複数個設けられる。複数個をなす凸条部７０，７１，７２は、鉛直方向に対して互いに異なる傾きをもって水平方向に並ぶように設けられる。この構成によれば、ケース２の壁面に沿う流体流れを、凸条部を間においた層状に形成することができる。さらに、各凸条部は、その並ぶ順番によって、鉛直方向に対して適切な傾きをもつように設けられることにより、電池セル３に対して効果的に遠ざかる流体流れを生じさせることができる。したがって、複数の層状流れが形成されることにより、側壁２１，２２に接触しながら電池セル３に対して遠ざかる方向に誘導する流体流れを促進することができる。
【００６２】
また、複数個の凸条部７０，７１，７２のうち、水平方向について、流出部からの距離が最も長い位置にある凸条部７２は、下端部７２１から上端部７２２まで延びる長さが複数個の凸条部７０，７１，７２の中で最も長い。この構成によれば、流体駆動手段から最も離れている凸条部７２によって、電池セル３に接触する前の流体を密閉空間において流体駆動手段から離れた場所まで誘導することができる。したがって、側壁２１，２２に接触しながら流れる流体を側壁２４の近くにまでゆき渡らせることができるため、側壁を介した放熱面積を大きくでき、放熱媒質として十分に活用することができる。
【００６３】
また、凸条部は、電池セル３を間において対向して設けられるケース２の壁面（側壁２１、側壁２２）のそれぞれから突出する。この構成によれば、対向する２つの側壁２１，２２に接触しながら流れる流体を形成することができるため、側壁を介した放熱面積を十分に確保することができる。
【００６４】
また、複数流路形成手段によって分けられる当該複数の流路は、流体が互いに逆向きに流れる２つの流路（第１の分岐流路６１０と第２の分岐流路６２０）を含む。ここでいう流体が互いに逆向きに流れるとは、互いの流れのベクトルが１８０度の角度をなす場合ばかりでなく、互いに対向する２つのケース壁に向けて流体が流れるような向きに分かれる場合を含むものである。この構成によれば、流体駆動手段から送られたばかりの流体をケース２の内部空間において広範囲に供給することができる。したがって、複数の電池セル３からの発熱を、ケース２の広範囲わたる壁を介して積極的に外部へ輻射放熱させることができる。
【００６５】
また、複数流路形成手段は、ケース２の壁面から突出するように設けられた凸条部５で構成される。流体駆動手段から送られた流体は、凸条部５に向かって流れ、凸条部５によって少なくとも二方向に分かれて複数の流路を形成する。
【００６６】
この構成によれば、流体駆動手段から送られる流体を異なる二方向に分岐させて複数の流路を形成することを、ケース壁面に設けた突起物によって実現できる。したがって、複雑な構成、機構を要することなく、ケース壁面を介した輻射放熱を実施できる。また、凸条部５等の突起物を集熱部として機能させることも可能である。
【００６７】
また、凸条部５は、互いに異なる方向に延びる少なくとも２つの傾斜面５１と傾斜面５２を有する。流体駆動手段から凸条部５に向かって流れた流体は、傾斜面５１及び傾斜面５２のそれぞれに沿って流れて少なくとも二方向に分かれる。
【００６８】
この構成によれば、傾斜面５１及び傾斜面５２に沿った流体流れの分岐を行うことにより、流通抵抗を抑制することができるため、流速低下が抑制された流体をケース２の壁に接触させることができる。したがって、密閉空間において流路を分岐する際に円滑な流体流れを形成できるので、ケース２の壁面を介した効果的な輻射放熱を実施できる。
【００６９】
また、凸条部５は、ケース２の一部を構成する底壁２３から突出するように設けられる。流体駆動手段は、流体を凸条部５に向けて下方に送る。この構成によれば、流体駆動手段から送られる流体を異なる二方向に分岐させて複数の流路を形成することを、ケース２の底壁２３に設けた突起物によって実現できる。したがって、複雑な構成、機構を要することなく、側壁を介した輻射放熱を実施できる。さらに、流体駆動手段から下方に向けて流体を送ることにより、重力を利用して流体を供給できる。これにより、流体の流速をあまり低下させることなく、ケース壁面に送ることができるので、ケース壁面を介した輻射放熱量を大きくでき、優れた放熱効率に貢献できる。
【００７０】
また、ケース２は、凸条部５が設けられている位置の裏側であって外部に露出する外壁面に、外部に露出する表面積を拡大する第１の放熱促進部２３０を備える。この構成によれば、循環流体が、当該複数の流路を構成する第１の分岐流路６１０、第２の分岐流路６２０を流れる際に、底壁２３を通じてケース２の外部に放熱する放熱経路を構築できる。このように、流体駆動手段から流出したばかりの流量が低下していない流体の熱を、底壁２３を通して第１の放熱促進部２３０から放出できる。このため、高い輻射放熱効率を備えた電池冷却装置１を提供できる。
【００７１】
また、ケース２は、第１の放熱促進部２３０が設けられている外壁面と隣接する他の面をなす側壁２１，２２に、外部に露出する表面積を拡大する第２の放熱促進部２１０，２２０をさらに備える。この構成によれば、流体駆動手段から送られた流体が電池セル３に接触する前に、ケース壁を介して第２の放熱促進部２１０，２２０から放出できる。このため、さらに高い輻射放熱効率を備えた電池冷却装置１を提供できる。
【００７２】
また、密閉空間を循環する流体が上記の互いに逆向きに流れる２つの流路（第１の分岐流路６１０と第２の分岐流路６２０）を流れる際に接触する壁面（底壁２３）は、ケース２の複数の壁面のうち、最も大きい表面積を有する壁面であることが好ましい。この構成によれば、流体駆動手段から送られる勢いのある流体が最初に接触する壁面がケース２の壁面において表面積の最も大きい壁面である。これによれば、外部への放熱効果を大きくでき、さらなる電池冷却効果が図れる。なお、このケース２は、最も大きい表面積である壁面が一つである場合に限られず、複数ある場合も含まれるものとする。
【００７３】
（第２実施形態）
第２実施形態では、上記の各実施形態の他の形態である流体流れ誘導手段について図４を参照して説明する。図４において、第１実施形態と同様の構成であるものは同一の符号を付し、同様の作用、効果を奏するものである。第２実施形態で特に説明しない構成、作用、効果については、上記の実施形態と同様である。以下、上記の実施形態と異なる点についてのみ説明する。上記の実施形態に係る流体流れ誘導手段は、以下に説明する流体流れ誘導手段１０７に置き換えることが可能である。
【００７４】
第２実施形態に係る流体流れ誘導手段１０７は、密閉空間を形成するケース１０２の壁面に設けられ、流体駆動手段から流出された流体を電池セル３から遠ざかる方向に誘導する機能を有する。流体流れ誘導手段１０７は、流体流れの下流に進むほど電池セル３からの距離が長くなるように形成された傾斜面を備えるケース１０２の壁面によって構成される。
【００７５】
すなわち、側壁１２２は、上流側端部１０７１から下流側端部１０７２にかけて滑らかに傾斜する傾斜面を有する。この傾斜面は、側壁１２２の内面の一部であり、流体流れ誘導手段１０７を実現する。この傾斜面は、側壁２０側に位置する上流側端部１０７１の方が側壁２４側に位置する下流側端部１０７２よりも密閉空間の中央寄りに位置するように形成された面をなしている。このような傾斜面は、側壁１２２に沿って流れる流体を電池セル３から遠ざかる方向、すなわち、ケース１０２の外部側に誘導することができる。
【００７６】
また、流体流れ誘導手段を構成する傾斜面は、底壁２３側に位置する上流側端部の方が天壁２５側に位置する下流側端部よりも密閉空間の中央寄りに位置するように形成された面としてもよい。すなわち、この場合の傾斜面は、鉛直方向線に対して下方の端部の方が上方の端部よりも密閉空間の中央寄りに位置するように形成された面をなす。このような傾斜面も、側壁１２２に沿って流れる流体を電池セル３から遠ざかる方向、すなわち、ケース１０２の外部側に誘導することができる。
【００７７】
第２実施形態の電池冷却装置１０１によれば、流体駆動手段から流出して電池セル３に接触する前の流体は、側壁１２２の傾斜面に沿って、下流に進むほど電池セル３からの距離が長くなるように流れる。これにより、流体流れ誘導手段１０７は、流体駆動手段から流出して電池セル３に接触する前のあまり流速が低下していない状態の流体を、側壁１２２の表面に沿わせて密閉空間の広範囲にゆき渡せることができる。したがって、流体流れ誘導手段１０７においても、流体駆動手段から送られる流体が電池セル３に到達する前にケース２の壁面を介した輻射放熱を促進できる。
【００７８】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【００７９】
上記実施形態において、流体流れ誘導手段７，８をなす各凸条部は、ケース２の側壁から突出する突出部である。本発明の流体流れ誘導手段をなす各凸条部は、ケース２の天壁や底壁から突出する突出部を含むものである。つまり、各凸条部は、下方または上方に突出する突出部も含まれる。
【００８０】
上記実施形態における流体駆動手段のファンには、シロッコファンの他、軸流ファン、ターボファン、クロスフローファン等を用いることができる。
【００８１】
上記実施形態のケースにおいて、最も表面積の大きいケースの壁は、ケースの底壁、天壁に相当するが、当該壁面は、この壁に限定されず、側壁面やその他の面であってもよい。
【００８２】
上記実施形態における、第１の放熱促進部２３０、第２の放熱促進部２１０，２２０は、図示するフィンの形態に限定されるものではない。各放熱促進部２３０，２１０，２２０は、壁の内面を通過する流体から伝わる熱を、壁の外表面からの外部放熱よりも大量に放出可能な構成であれば、種々の形態を適用できる。各放熱促進部は、フィンでなくてもよく、例えば、内部空気よりも低温の流体を壁の外表面に間接的または直接的に接触させることによる熱交換方式であってもよい。
【００８３】
上記実施形態におけるバスバー３００には、電池セル３の放熱手段として、放熱面積を拡大するフィンを設けるようにしてもよい。このフィンは、バスバー３００を構成する銅部材等を鍛造したり切り起こしたりして形成することができる。また、バスバー３００に別体のフィンを接合、例えば溶接するようにしてもよい。
【符号の説明】
【００８４】
１，１０１…電池冷却装置
２，１０２…ケース
３…電池セル（電池）
４…送風機（流体駆動手段）
７，８…流体流れ誘導手段
２１，２２，１２１…側壁（ケースの壁面）
１０７…傾斜面（流体流れ誘導手段）
【図１】
0005892119.tif 000002
【図２】
0005892119.tif 000003
【図３】
0005892119.tif 000004
【図４】
0005892119.tif 000005